(57)【特許請求の範囲】
【請求項１】
複数の門柱ユニット（５）を上下方向に積み重ねて門柱本体（２）を構成した門柱であって、
門柱ユニット（５）は、直方体形状であって、外周に前側壁（７）と後側壁（８）と左側壁（９）と右側壁（１０）とを備えると共に、上下には上開口窓（１２）を有する水平板状の上載置壁（１３）と下開口窓（１４）を有する水平板状の下載置壁（１５）とを備え、上下に隣り合う門柱ユニット（５）同士は、下側門柱ユニット（５）の上載置壁（１３）上に上側門柱ユニット（５）の下載置壁（１５）が載置されて、これら上載置壁（１３）と下載置壁（１５）とが締結具（１９）で締め付け固定され、
前記複数の門柱ユニット（５）は、左右幅の短い第１門柱ユニット（５ａ）と、左右幅の長い第２門柱ユニット（５ｂ）との２種類があって、これらの前後幅及び上下幅は互いに同一長さとされ、第２門柱ユニット（５ｂ）は第１門柱ユニット（５ａ）に対して左右方向外方に突出するように積み重ねられていることを特徴とする門柱。
【請求項２】
複数の門柱ユニット（５）を上下方向に積み重ねて門柱本体（２）を構成した門柱であって、
門柱ユニット（５）は、直方体形状であって、外周に前側壁（７）と後側壁（８）と左側壁（９）と右側壁（１０）とを備えると共に、上下には上開口窓（１２）を有する水平板状の上載置壁（１３）と下開口窓（１４）を有する水平板状の下載置壁（１５）とを備え、上下に隣り合う門柱ユニット（５）同士は、下側門柱ユニット（５）の上載置壁（１３）上に上側門柱ユニット（５）の下載置壁（１５）が載置されて、これら上載置壁（１３）と下載置壁（１５）とが締結具（１９）で締め付け固定され、
前記門柱本体（２）の上に照明台（３）が設けられ、照明台（３）は支持枠体（６７）と透過性を有するボックス体（６８）とを備え、支持枠体（６７）は門柱本体（２）の最上段の門柱ユニット（５）の上載置壁（１３）上に載置固定され、ボックス体（６８）は下端が開口した直方体形状に形成され、最上段の門柱ユニット（５）の上載置壁（１３）の上開口窓（１２）を塞ぐように支持枠体（６７）に内嵌保持され、ボックス体（６８）内に照明灯（８０）が収納されていることを特徴とする門柱。
【請求項３】
前記複数の門柱ユニット（５）は、左右幅の短い第１門柱ユニット（５ａ）と、左右幅の長い第２門柱ユニット（５ｂ）との２種類があって、これらの前後幅及び上下幅は互いに同一長さとされ、第２門柱ユニット（５ｂ）は第１門柱ユニット（５ａ）に対して左右方向外方に突出するように積み重ねられていることを特徴とする請求項２に記載の門柱。
【請求項４】
門柱ユニット（５）の上載置壁（１３）にその上開口窓（１２）の開口縁部から嵌合筒（１８）が上方突設され、上下に隣り合う門柱ユニット（５）同士は、下側門柱ユニット（５）の嵌合筒（１８）と上側門柱ユニット（５）の下開口窓（１４）の開口縁部とが互いに嵌合されていることを特徴とする請求項１〜３のいずれかに記載の門柱。
【請求項５】
前記複数の門柱ユニット（５）は、それぞれ郵便受け（Ｘ）、表札取付台（Ｚ）、インターホン支持台（Ｙ）とされていることを特徴とする請求項１〜４のいずれかに記載の門柱。
【発明の詳細な説明】
【技術分野】
【０００１】
本発明は、複数の門柱ユニットを積み重ねて門柱本体を構成した門柱に関するものである。
【背景技術】
【０００２】
軽量化して物流コストの低減をはかるようにした従来の組立式の門柱には、複数の門柱ユニットを、それぞれ前側壁と後側壁と左側壁と右側壁とを備えると共に内部に空洞を有する角筒状に形成し、地面に埋没される基礎から鉛直に立ち上げた芯棒を、各門柱ユニットの挿通孔に挿通して、複数の門柱ユニットを上方に積み重ねて門柱本体を構成し、最上段に積み上げた門柱ユニットの上端に天板を載置固定してなるものがある（例えば特許文献１）。
【先行技術文献】
【特許文献】
【０００３】
【特許文献１】特開平７−２６９２５７号公報
【発明の概要】
【発明が解決しようとする課題】
【０００４】
しかし、従来の場合、上下に隣り合う門柱ユニット同士は、前側壁、後側壁、左側壁及び右側壁の上端面又は下端面に相当する門柱ユニットの上端面と下端面とが互いに重合した状態に載置されており、複数の門柱ユニットは狭小な面積で順次重合しながら積み重ねられていた。このため、上下に隣り合う門柱ユニット同士の結合が甘くなり、門柱ユニット同士が相互にガタ付いたりして不安定になって、門柱を強固に組み立てることができなくなるという問題があった。
また、芯棒を各門柱ユニットの挿通孔に挿通して、複数の門柱ユニットを上方に積み重ねて門柱本体を構成するので、門柱本体の構造が複雑になるし、門柱本体の組み立ても面倒になり、門柱全体の構造が複雑で製造が面倒で製造費が高く付くという問題があった。
本発明は上記問題点に鑑み、上下に隣り合う門柱ユニット同士を強固に結合することができて、門柱ユニット同士が相互にガタ付いたりすることがないように安定かつ強固に組み立てることができると共に、容易かつ安価に製造することができる門柱を提供することを目的としている。
【課題を解決するための手段】
【０００５】
本発明における課題解決のための具体的手段は、次の通りである。
この技術的課題を解決する本発明の技術的手段は、複数の門柱ユニット５を上下方向に積み重ねて門柱本体２を構成した門柱であって、
門柱ユニット５は、直方体形状であって、外周に前側壁７と後側壁８と左側壁９と右側壁１０とを備えると共に、上下には上開口窓１２を有する水平板状の上載置壁１３と下開口窓１４を有する水平板状の下載置壁１５とを備え、上下に隣り合う門柱ユニット５同士は、下側門柱ユニット５の上載置壁１３上に上側門柱ユニット５の下載置壁１５が載置されて、これら上載置壁１３と下載置壁１５とが締結具１９で締め付け固定され、
前記複数の門柱ユニット５は、左右幅の短い第１門柱ユニット５ａと、左右幅の長い第２門柱ユニット５ｂとの２種類があって、これらの前後幅及び上下幅は互いに同一長さとされ、第２門柱ユニット５ｂは第１門柱ユニット５ａに対して左右方向外方に突出するように積み重ねられている点にある。
また、本発明の他の技術的手段は、複数の門柱ユニット５を上下方向に積み重ねて門柱本体２を構成した門柱であって、
門柱ユニット５は、直方体形状であって、外周に前側壁７と後側壁８と左側壁９と右側壁１０とを備えると共に、上下には上開口窓１２を有する水平板状の上載置壁１３と下開口窓１４を有する水平板状の下載置壁１５とを備え、上下に隣り合う門柱ユニット５同士は、下側門柱ユニット５の上載置壁１３上に上側門柱ユニット５の下載置壁１５が載置されて、これら上載置壁１３と下載置壁１５とが締結具１９で締め付け固定され、
前記門柱本体２の上に照明台３が設けられ、照明台３は支持枠体６７と透過性を有するボックス体６８とを備え、支持枠体６７は門柱本体２の最上段の門柱ユニット５の上載置壁１３上に載置固定され、ボックス体６８は下端が開口した直方体形状に形成され、最上段の門柱ユニット５の上載置壁１３の上開口窓１２を塞ぐように支持枠体６７に内嵌保持され、ボックス体６８内に照明灯８０が収納されている点にある。
また、本発明の他の技術的手段は、前記複数の門柱ユニット５は、左右幅の短い第１門柱ユニット５ａと、左右幅の長い第２門柱ユニット５ｂとの２種類があって、これらの前後幅及び上下幅は互いに同一長さとされ、第２門柱ユニット５ｂは第１門柱ユニット５ａに対して左右方向外方に突出するように積み重ねられている点にある。
また、本発明の他の技術的手段は、門柱ユニット５の上載置壁１３にその上開口窓１２の開口縁部から嵌合筒１８が上方突設され、上下に隣り合う門柱ユニット５同士は、下側門柱ユニット５の嵌合筒１８と上側門柱ユニット５の下開口窓１４の開口縁部とが互いに嵌合されている点にある。
また、本発明の他の技術的手段は、前記複数の門柱ユニット５は、それぞれ郵便受けＸ、表札取付台Ｚ、インターホン支持台Ｙとされている点にある。
【発明の効果】
【０００６】
本発明によれば、上下に隣り合う門柱ユニット同士は、下側門柱ユニットの水平板状の上載置壁と上側門柱ユニットの水平板状の下載置壁とで広い面積で互いに重合され、しかも、これら水平板状の上載置壁と下載置壁とが締結具で締め付け固定されるため、上下に隣り合う門柱ユニット同士を強固に結合することができて、門柱ユニット同士が相互にガタ付いたりすることがないように門柱本体を安定かつ強固に組み立てることができる。
また、各門柱ユニットの上載置壁は上開口窓を有し、下載置壁は下開口窓を有しているので、この上下の開口窓から門柱ユニット内に手を挿入して、上載置壁と下載置壁とを締結具で簡単に締め付け固定することができ、門柱本体を簡単に組み立てることができる。また、照明やインターホンの電気配線も上開口窓及び下開口窓を通して楽に配線できるので、配線工事も便利であるし、電気配線が外部から見えなくなるので、外観上の体裁もよくなる。
しかも、従来のような芯棒が不要になるため、複数の門柱ユニットに上下に貫通した挿通孔や芯棒を設ける必要がなくなり、それだけ門柱本体の構造が簡単になるし、芯棒を各門柱ユニットの挿通孔に挿通するような面倒な組み立て作業も不要になり、門柱全体の構造が簡単で容易に製造することができかつ製造費も安上がりになる。
【図面の簡単な説明】
【０００７】
【図１】本発明の第１実施形態を示す門柱の斜視図である。
【図２】同門柱の正面断面図である。
【図３】図２のＡ矢視部分の拡大正面断面図である。
【図４】図２のＢ−Ｂ線断面図である。
【図５】同郵便受け部分の背面図である。
【図６】図２のＣ矢視部分の拡大正面断面図である。
【図７】図２のＤ矢視部分の拡大正面断面図である。
【図８】図２のＥ−Ｅ線断面図である。
【図９】図２のＦ−Ｆ線断面図である。
【図１０】図２のＧ矢視部分の拡大正面断面図である。
【図１１】図２のＨ−Ｈ線断面図である。
【図１２】第１門柱ユニットの斜視図である。
【図１３】第２門柱ユニットの斜視図である。
【図１４】照明台の支持枠体の斜視図である。
【図１５】第２実施形態を示す門柱の斜視図である。
【図１６】第３実施形態を示す門柱の斜視図である。
【発明を実施するための形態】
【０００８】
以下、本発明の実施の形態を図面に基づいて説明する。
図１〜図１４は本発明の第１実施形態を示している。図１〜図２において、門柱１は、門柱本体２と門柱本体２上に設けた照明台３とを備える。
門柱本体２は、複数（図例では６個）の門柱ユニット５を上下方向に積み重ねて構成されている。
図１〜図１３において、各門柱ユニット５は、ステンレス板、電気亜鉛メッキ鋼板（表面処理鋼板）又は普通鋼板等により直方体形状に形成され、外周に前側壁７と後側壁８と左側壁９と右側壁１０とを備える共に、上下には上開口窓１２を有する水平板状の上載置壁１３と、下開口窓１４を有する水平板状の下載置壁１５とを、それぞれ備えている。
上載置壁１３は、幅が２０ｍｍ〜２８ｍｍ程度の角形環状であって前後左右の側壁７，８，９，１０の上端部にその全長に亘って連結されていて、各側壁７，８，９，１０に対して内外方向の内側に突出している。下載置壁１５は、幅が２０ｍｍ〜２８ｍｍ程度の角形環状であって、前後左右の側壁７，８，９，１０の下端部にその全長に亘って連結されていて、各側壁７，８，９，１０に対して内外方向の内側に突出している。
上下載置壁１３，１５の上開口窓１２と下開口窓１４とは一辺が１５５ｍｍ〜１５０ｍｍ程度の正方形状であって、上開口窓１２が下開口窓１４よりもやや小さく形成され、これらは互いに上下に対応している。
上載置壁１３と下載置壁１５には、周方向に複数（図例では６個）の取付孔１７が上下に対応して設けられている。各門柱ユニット５の上載置壁１３にその上開口窓１２の開口縁部から角筒状の嵌合筒１８が上方突設されている。嵌合筒１８の高さは１８．８ｍｍ程度に設定されている。
【０００９】
上下に隣り合う門柱ユニット５同士は、下側門柱ユニット５の嵌合筒１８と上側門柱ユニット５の下開口窓１４の開口縁部とが互いに嵌合されて、下側門柱ユニット５の上載置壁１３上に上側門柱ユニット５の下載置壁１５が載置され、これら上載置壁１３と下載置壁１５とがその取付孔１７に挿通したボルトナット等の締結具１９で締め付け固定されている。
本実施形態では、前後左右の側壁７，８，９，１０、上下の載置壁１３，１５、嵌合筒１８の厚みはそれぞれ１．２ｍｍ程度に設定されている。また、互いに嵌合される下側門柱ユニット５の嵌合筒１８と、上側門柱ユニット５の下開口窓１４の開口縁部との間の隙間を、１．５ｍｍ程度に小さく設定しており、これにより、下側の門柱ユニット５と上側の門柱ユニット５とのガタ付きが少なくなって、門柱１の強度が増大するようにしている。なお、この部分の隙間を３ｍｍ程度に大きく設定してもよい。
また、上載置壁１３及び下載置壁１５の取付孔１７をその直径が６ｍｍ程度になるように小さく設定して、門柱ユニット５同士のガタ付きを防止している。
【００１０】
各門柱ユニット５の外面には、赤、青、黄、緑などを標準色としたシリカ系の防汚塗料が塗布されている。
なお、赤、青、黄、緑などの標準色の防汚塗料の他に、緑青（苔風）、マーブル（大理石風）等の色彩のウレタン系の防汚塗料を塗布するようにしてもよい。また、各門柱ユニット５の外面に塗布される防汚塗料の色は、互いに異なる色であってもよいし、互いに同一色であってもよく、要望に応じて自由に設定される。
【００１１】
前記複数の門柱ユニット５には、図１２に示すように左右幅の短い立方体形状の第１門柱ユニット５ａと、図１３に示すように左右幅の長い直方体形状の第２門柱ユニット５ｂとの２種類があって、第１門柱ユニット５ａと第２門柱ユニット５ｂとは、その前後幅及び上下幅は互いに同一長さ（例えば２００ｍｍ程度）とされ、第２門柱ユニット５ｂは第１門柱ユニット５ａの左右幅の２倍の長さ（例えば４００ｍｍ程度）の左右幅を有している。
而して、第２門柱ユニット５ｂの前側壁７及び後側壁８は第１門柱ユニット５ａの前側壁７及び後側壁８の長さの２倍に設定されている。また、第２門柱ユニット５ｂの上側には、左右方向の一端側に上開口窓１２を有する上載置壁１３を備える他に、他端側に上載置壁１３に連続する上閉塞壁２１を備え、第２門柱ユニット５ｂの下側には、左右方向の一端側に下開口窓１４を有する下載置壁１５を備える他に、他端側に下載置壁１５に連続する下閉塞壁２２を備えている。
従って、第２門柱ユニット５ｂの場合、上載置壁１３は、直接又は上閉塞壁２１を介して前後左右の側壁７，８，９，１０の上端部にその全長に亘って連結され、下載置壁１５は、直接又は下閉塞壁２２を介して前後左右の側壁７，８，９，１０の下端部にその全長に亘って連結されている。
【００１２】
また、第１門柱ユニット５ａの場合、上載置壁１３で門柱ユニット５の上壁が構成され、下載置壁１５で門柱ユニット５の下壁が構成されているのに対して、第２門柱ユニット５ｂの場合、上載置壁１３と上閉塞壁２１とで門柱ユニット５の上壁が構成され、下載置壁１５と下閉塞壁２２とで門柱ユニット５の下壁が構成されている。
また、第２門柱ユニット５ｂは第１門柱ユニット５ａに対して左右方向外方に突出するように積み重ねられ、この第２門柱ユニット５ｂに第１門柱ユニット５ａよりも左右方向の一方側に突出した外方突出部２４が形成されるようになっている。
次に、各門柱ユニット５の個別の特徴を説明する。
図１及び図２に示すように、最下段の門柱ユニット５は、長い第２門柱ユニット５ｂで構成され、地中に埋設される基礎ブロック２７に図示省略の支持脚を介して載置固定されている。これにより、門柱本体２を動かないように安定に設置することが可能になっている。ただし、最下段の門柱ユニット５の下載置壁１５にはその下側から嵌合筒１８が嵌合されないため、下載置壁１５は下開口窓１４を有しておらず、下閉塞壁２２に連続する水平な正方形の板状になっている。
【００１３】
図１〜図４に示すように、下から２段目の門柱ユニット５は、最下段の門柱ユニット５と同様に長い第２門柱ユニット５ｂで構成されており、下載置壁１５が最下段の門柱ユニット５の上載置壁１３に重合される共に下閉塞壁２２が最下段の門柱ユニット５の上閉塞壁２１に全面に亘って重合されて載置固定されている。
図１〜図３に示すように、下から３段目の門柱ユニット５は、短い第１門柱ユニット５ａで構成され、下から２段目の門柱ユニット５の左右方向の一方側（左側）に載置固定されている。従って、下から２段目の門柱ユニット５の左右方向の一方側（右側）は、下から３段目の門柱ユニット５よりも外方に突出している。
【００１４】
図１、図２、図５、図６及び図８に示すように、下から４段目の門柱ユニット５は、新聞受け兼用の郵便受けＸとされている。下から４段目の門柱ユニット５は、長い第２門柱ユニット５ｂで構成され、下から３段目の門柱ユニット５よりも左右方向の一端側（右側）が外方突出された外方突出部２４とされている。
下から４段目の門柱ユニット５の前側壁７の上部に投入口３１が開口され、投入口３１は蓋板体３２で内側から開閉自在に塞がれている。蓋板体３２は蝶番３３等によって前側壁７の内面に横軸３４廻りに前後方向に揺動自在に支持され、図示省略のバネによって閉鎖方向（前方向）に付勢されている。
後側壁８に大きな取出口３５が設けられている。後側壁８の取出口３５の開口縁部から前方に突出した角筒状の突出縁部３６と、突出縁部３６の前端部から内方に折曲した角形環状の折曲縁部３７とが設けられている。
後側壁８の取出口３５は蓋部材３９によって塞がれている。蓋部材３９は、板状の蓋後板４０と蓋後板４０の外周縁部から前方に突出した角筒状の蓋突出縁部４１と蓋突出縁部４１の前端部から内方に折曲した蓋折曲縁部４２とを有している。蓋部材３９の上部は後側壁８の突出縁部３６の上部に蝶番４３で後方に向けて揺動するように支持され、これにより取出口３５は蓋部材３９によって開閉自在に塞がれており、蓋部材３９が閉塞したときに、蓋部材３９の蓋突出縁部４１が突出縁部３６に内嵌した状態で蓋部材３９の蓋後板４０側が後側壁８よりも後方に突出し、この閉塞状態から蓋部材３９が蝶番４３を支点に後方に揺動して開くようになっている。
【００１５】
蓋部材３９の左右方向中央の下部にダイヤル式のロック錠４６が設けられている。このロック錠４６は錠本体４７とダイヤル４８とロック爪４９とを有しており、ロック爪４９が錠本体４７から外方突出することにより蓋部材３９が開かなくなるように施錠され、ダイヤル４８の右廻りの数字に対応する角度分の回動と左廻りの数字に対応する角度分の回動との組み合わせが予め設定された数字の組み合わせと一致したときに、ロック爪４９が錠本体４７の内方に後退することにより解錠するように構成されている。
下から３段目の門柱ユニット５の嵌合筒１８の上端開口は、図８に２点鎖線で示すように、下から３段目の門柱ユニット５内から郵便物等が下に落ちないように閉塞カバー５０で塞がれている。
【００１６】
下から５段目の門柱ユニットは、図１、図２、図７及び図８に示すように、インターホン支持台Ｙとされている。この下から５段目の門柱ユニット５は、短い第１門柱ユニット５ａで構成され、前側壁７にカメラ窓５３とボタン用孔５４とスピーカ用孔５５とが形成され、前側壁７の内面側に、前側壁７から後方に離間してインターホン取付板５７が配置されている。インターホン取付板５７は開口５６を有する板状に形成され、取付ステー５８を介して前側壁７に固定されている。インターホン取付板５７と前側壁７との間にカメラ付きのインターホン５９が配置されて、インターホン取付板５７に取付けられている。インターホン５９は、カメラ８１、スピーカ８２、押圧ボタン８３等を有している。
【００１７】
図１、図２、図９〜図１１に示すように、門柱の最上段（下から６段目）の門柱ユニット５は、表札取付台Ｚとされている。この最上段の門柱ユニット５は、短い第１門柱ユニット５ａで構成されている。最上段の第１門柱ユニット５ａは、３段目の第１門柱ユニット５ａ及び５段目の第１門柱ユニット５ａの場合に比べて、上載置壁１３の角形環状の幅が小さく形成されて、上開口窓１２及び嵌合筒１８がやや大きく形成されており、嵌合筒１８の前後左右に側面視でＬ字状に折曲した取付金具６２が溶接等により固着されている。嵌合筒１８の左右両側の前後方向中央部に取付孔６３が設けられており、前側壁７の外面（前面）に表札６４が固着されている。
【００１８】
図１、図２、図１０及び図１１に示すように、門柱の上側には、照明台３が載置される。この照明台３は、支持枠体６７と透過性を有する（半透明）のボックス体６８とを備えている。
支持枠体６７は、図１４にも示すように、前後左右の板状の下枠杆７０とアングル形状の左右の前支柱杆７１とアングル形状の左右の後支柱杆７２とアングル形状の左右の上枠杆７３とを有しており、前後左右の下枠杆７０が最上段の門柱ユニット５の上載置壁１３の外周部に載置されて、左右の下枠杆７０が取付孔６３に挿通したボルトナット等の締結具７５で門柱ユニット５の嵌合筒１８に連結固定されている。なお、締結具７５のナット７５ａは嵌合筒１８に溶接等によって固着されている。
ボックス体６８は下端が開口した直方体形状に形成され、最上段の門柱ユニット５の上載置壁１３の上開口窓１２を塞ぐように支持枠体６７に内嵌保持されると共に、最上段の門柱ユニット５の上載置壁１３の外周部に載置されて前記締結具７５で支持枠体６７の左右下枠杆７０と共に最上段の門柱ユニット５の嵌合筒１８に共締めされている。
最上段の門柱ユニット５の取付金具６２上に板状の照明灯支持台７７が水平状に配置されて、ボルトナット等の締結具７８でそれぞれ締め付け固定されている。照明灯支持台７７に左右一対の照明灯８０が突設されている。左右の照明灯８０はボックス体６８内に収納されている。
【００１９】
前記第１実施形態によれば、門柱１を組み立てる場合、例えば、まず、最下段の門柱ユニット５の上載置壁１３上に２段目の門柱ユニット５の下載置壁１５を載置して、これら上載置壁１３と下載置壁１５とを締結具１９で締め付け固定し、これにより最下段の門柱ユニット５に対して２段目の門柱ユニット５を載置固定する。
次に、同様にして、２段目の門柱ユニット５に対して３段目の門柱ユニット５を載置固定し、また、４段目の門柱ユニット５〜最上段の門柱ユニット５を順次載置固定する。
最後に、照明灯８０を突設した照明灯支持台７７を最上段の門柱ユニット５の取付金具６２上に配置して締結具７８で締め付け固定し、ボックス体６８を最上段の門柱ユニット５の上載置壁１３の外周部に載置すると共に、支持枠体６７をボックス体６８に外嵌するように最上段の門柱ユニット５の上載置壁１３上に載置し、支持枠体６７の左右下枠杆７０とボックス体６８とを最上段の門柱ユニット５の嵌合筒１８に締結具７５で共締めすればよい。
【００２０】
従って、上下に隣り合う門柱ユニット５同士は、下側門柱ユニット５の水平板状の上載置壁１３と上側門柱ユニット５の水平板状の下載置壁１５とが広い面積で互いに重合され、しかも、これら水平板状の上載置壁１３と下載置壁１５とが締結具１９で締め付け固定されるため、上下に隣り合う門柱ユニット５同士を強固に結合することができて、門柱ユニット５同士が相互にガタ付いたりすることがないように門柱本体２を安定かつ強固に組み立てることができる。
また、各門柱ユニット５の上載置壁１３は上開口窓１２を有し、下載置壁１５は下開口窓１４を有しているので、この上下の開口窓１２，１４から門柱ユニット５内に手を挿入できるため、取付孔１７を利用して上載置壁１３と下載置壁１５とを締結具１９で簡単に締め付け固定することができ、門柱本体２を簡単に組み立てることができる。
また、照明灯８０やインターホン５９の電気配線も上開口窓１２及び下開口窓１４を通して楽に配線できるので、配線工事も便利であるし、電気配線が外部から見えなくなるので、外観上の体裁もよくなる。
しかも、従来のような芯棒が不要になるため、門柱ユニット５に上下に貫通した挿通孔や芯棒を設ける必要がなくなり、それだけ門柱本体２の構造が簡単になるし、芯棒を各門柱ユニット５の挿通孔に挿通するような面倒な組み立て作業も不要になり、門柱１全体の構造が簡単で容易に製造することができかつ製造費も安上がりになる。また、従来のように芯棒を用いないので、芯棒が曲がって耐久性に問題が生じることもなくなり、耐久性が高いものとなるし、各門柱ユニット５を貫通する芯棒がないため、郵便受けＸ等が使い易いものなる。
【００２１】
また、門柱ユニット５同士を上下に積み重ねて固定する際に、下側門柱ユニット５の嵌合筒１８と上側門柱ユニット５の下開口窓１４の開口縁部とを互いに嵌合することによって、上下に隣り合う門柱ユニット５同士を簡単に位置決めすることができ、上下に隣り合う門柱ユニット５同士をより一層簡単かつ確実に連結固定することが可能になるし、上下に隣り合う門柱ユニット５同士を互いにガタ付かないようにより強固に固定できるようになる。
また、組み立て後には、上下に隣り合う門柱ユニット５間に浸入した雨水等が門柱ユニット５内に浸入するのを、嵌合筒１８で確実に堰き止めることが可能になり、各門柱ユニット５内への雨水等の浸入を効果的に防ぐことができる。
また、門柱本体２を、短い第１門柱ユニット５ａと長い第２門柱ユニット５ｂとを組み合わせることにより変化に富んで意匠的に優れた立体形状に形成できる。しかも、長い第２門柱ユニット５ｂの外方突出部２４を小物用の載置台とすることも可能になり、門柱１の利便性も向上させることができる。
また、門柱本体２の上に照明台３が設けられ、支持枠体６７は門柱本体２の最上段の門柱ユニット５の上載置壁１３上に載置固定され、透過性を有するボックス体６８は最上段の門柱ユニット５の上載置壁１３の上開口窓１２を塞ぐように支持枠体６７に内嵌保持されているので、門柱本体２の上方に照明台３を簡単かつ強固に構成することができ、しかも、最上段の門柱ユニット５の上載置壁１３の上開口窓１２をボックス体６８で塞いで、門柱本体２内に雨水等が浸入するのを防ぐことができる。
【００２２】
また、複数の門柱ユニット５が内部に空洞を有する直方体形状であること等を有効に利用して、各門柱ユニット５で郵便受けＸ、表札取付台Ｚ、インターホン支持台Ｙを形成して、門柱本体２の機能を増大させることが可能になり、非常に有益である。
さらに、複数の門柱ユニット５の組み合わせを需要者の好みに合わせて自在に変更することが可能であり、門柱１の全体形状や色彩の組み合わせや高さ等を、需要者の好みに合わせて簡単に設定変更することができる。また、郵便受けＸの要否、インターホン５９の要否なども自由自在に変更設定することができる。また、門柱１を門扉や壁面の形状に応じて使い易い形にできるし、門柱本体２の途中に大きいサイズの第２門柱ユニット５ｂを差し挟むことで、デザイン上の面白さが生まれる。
また、締付具１９を取り外すことによって、門柱ユニット５の取り換えを簡単になすことができるため、１つの門柱ユニット５のみが傷ついたり、壊れたりした場合には、その部分の門柱ユニット５だけ取り替えて、その他の部分をそのまま使用することができ、経済的である。また、デザインや色に飽きてきた場合には、門柱ユニット５の一部を取り替え又は組み合わせる順番を変えて新たなデザインを楽しむことも可能である。
また、本実施形態の場合、最下段の門柱ユニット５と２段目の門柱ユニット５とがそれぞれ長い第２門柱ユニット５ｂで構成されているので、下部が大きくなり、この点からも門柱１の安定性がよくなる。
【００２３】
図１５は第２実施形態を示し、前記第１実施形態における４段目の門柱ユニット５と５段目の門柱ユニット５との間に、第１門柱ユニット５ａにより構成した新たな門柱ユニット５を設け、この門柱ユニット５を４段目の門柱ユニット５に載置固定して５段目の門柱ユニット５とすると共に、前記５段目〜６段目の門柱ユニット５を、６段目〜７段目の門柱ユニット５とし、門柱本体２を１段目〜７段目の７個の門柱ユニット５で構成するようにしたものである。その他の点は前記第１実施形態の場合と同様の構成である。
【００２４】
図１６は第３実施形態を示し、前記第１実施形態における郵便受けＸを構成する４段目の門柱ユニット５を、３段目の門柱ユニット５に対して左右方向の逆側（右側）に外方突出するように載置固定したものである。従って、この場合、４段目の門柱ユニット５は長い第２門柱ユニット５ｂで構成されて、上載置壁１３及び下載置壁１５が左右方向の左側に位置し、上閉塞壁２１及び下閉塞壁２２は右側に位置するように、前後左右が逆向きになるように配置されて、その前側壁７や後側壁８に投入口３１や取出口３５が設けられている。その他の点は前記第１実施形態の場合と同様の構成である。
なお、前記実施形態では、最下段の門柱ユニット５と２段目の門柱ユニット５とは長い第２門柱ユニット５ｂで構成しているが、これに代え、最下段の門柱ユニット５と２段目の門柱ユニット５とを、背面側に１０ｃｍ程度突出した大きいサイズの１つの大きな特別の門柱ユニットで形成し、これに挿入口や取出口を形成して宅配ボックスとしてもよい。
また、各門柱ユニット５の外面の塗装は、前記実施形態のようなものに限定されず、顧客（注文者）の注文にできるだけ沿うように特殊な防汚塗料を塗装するようにしてもよい。
また、複数の門柱ユニット５の組み合わせは、基本的に受注生産なので、顧客（注文者）の要望によって種々の組み合わせをすることができる。
また、前記実施形態では、複数の門柱ユニット５のうちの３つは、それぞれ郵便受けＸ、表札取付台Ｚ、インターホン支持台Ｙとされているが、これに代え、複数の門柱ユニット５のいずれか１つのみを、郵便受けＸ、表札取付台Ｚ又はインターホン支持台Ｙとしてもよいし、複数の門柱ユニット５の全てについて、郵便受けＸ、表札取付台Ｚ又はインターホン支持台Ｙのいずれも構成しないものであってもよい。
【符号の説明】
【００２５】
１      門柱
２      門柱本体
３      照明台
５      門柱ユニット
５ａ    第１門柱ユニット
５ｂ    第２門柱ユニット
７      前側壁
８      後側壁
９      左側壁
１０    右側壁
１２    上開口窓
１３    上載置壁
１４    下開口窓
１５    下載置壁
１８    嵌合筒
１９    締結具
６７    支持枠体
６８    ボックス体
８０    照明灯
Ｘ      郵便受け
Ｙ      インターホン支持台
Ｚ      表札取付台
【図１】
0006044793.tif 000002
【図２】
0006044793.tif 000003
【図３】
0006044793.tif 000004
【図４】
0006044793.tif 000005
【図５】
0006044793.tif 000006
【図６】
0006044793.tif 000007
【図７】
0006044793.tif 000008
【図８】
0006044793.tif 000009
【図９】
0006044793.tif 000010
【図１０】
0006044793.tif 000011
【図１１】
0006044793.tif 000012
【図１２】
0006044793.tif 000013
【図１３】
0006044793.tif 000014
【図１４】
0006044793.tif 000015
【図１５】
0006044793.tif 000016
【図１６】
0006044793.tif 000017